(57)【要約】【課題】本発明は回動可能で且つ電気的に導通するヒンジ機構に関する。【解決手段】各物品の辺１ａに左基台１１ａと右基台１１ｂを形成し、それらの基台に接続端子１６を装着の左回動孔１５ａと右回動孔１５ｂを穿設し、左回動孔１５ａと右回動孔１６ｂに対応する位置で装着可能な左回転軸１３ａと右回転軸１３ｂを有する左端子２０ａと右端子２０ｂを往復動可能に配置し、左端子２０ａと右端子２０ｂの間に弾性体２５を装着する。【選択図】図２
2010112485.tif 000002
【特許請求の範囲】
【請求項１】
一方物品と他方物品を回動可能に結合し、且つ、電気的に導通するヒンジ機構であって、
前記一方物品と他方物品の辺に右基台と左基台を形成し、前記右基台に導電端子を装着の右回動孔を穿設すると共に、左基台に導電端子を装着の左回動孔を穿設し、
前記ヒンジ機構の本体に、前記一方物品に穿設の右回動孔と他方物品に穿設の右回動孔に装着可能な一対の右回転軸を右連結体で連結の右端子を備えると共に、前記一方物品に穿設の左回動孔と他方物品に穿設の左回動孔に装着可能な一対の左回転軸を左連結体で連結の左端子を備え、
前記右端子と左端子の間に弾性体を装着し、前記右回転軸と左回転軸の少なくも一方を往復動可能にすることを特徴とするヒンジ機構。
【請求項２】
一方物品と他方物品を回動可能に結合し、且つ、電気的に導通するヒンジ機構であって、
前記一方物品と他方物品の辺に右基台と左基台を形成し、前記右基台に導電端子を装着の右回動孔を穿設すると共に、左基台に導電端子を装着の左回動孔を穿設し、
前記ヒンジ機構の本体に、前記一方物品に穿設の右回動孔と他方物品に穿設の右回動孔に装着可能な一対の右回転軸を右連結体で連結の右端子を備えると共に、前記一方物品に穿設の左回動孔と他方物品に穿設の左回動孔に装着可能な一対の左回転軸を左連結体で連結の左端子を備え、
前記右端子と左端子の一部を板バネで構成し、前記右回転軸と左回転軸の少なくも一方を往復動可能にすることを特徴とするヒンジ機構。
【請求項３】
板バネの周囲に、左連結体と右連結体を押圧して本体内に取り入れたとき板バネの弾性変形を可能にする停止体を設けてあることを特徴とする請求項２のヒンジ機構。
【請求項４】
一方物品と他方物品を回動可能に結合し、且つ、電気的に導通するヒンジ機構であって、
前記一方物品と他方物品の辺に右基台と左基台を形成し、前記右基台に導電端子を装着の右回動孔を穿設すると共に、左基台に導電端子を装着の左回動孔を穿設し、
前記ヒンジ機構の本体に、前記一方物品に穿設の右回動孔と他方物品に穿設の右回動孔に装着可能な一対の右回転軸を右連結体で連結の右端子を備える主右本体と共に、前記一方物品に穿設の左回動孔と他方物品に穿設の左回動孔に装着可能な一対の左回転軸を左連結体で連結の左端子を備える主左本体を内装し、
前記主左本体と主右本体の相対する側面にテーパ面を形成し、
それらのテーパ面に嵌合可能なテーパ面を備える装着体を嵌合装着して前記主左本体と主右本体を固定することを特徴とするヒンジ機構。
【請求項５】
一方物品と他方物品を回動可能に結合し、且つ、電気的に導通するヒンジ機構の組立方法であって、
右中本体に、右回転軸を備える右端子を装着し、
左中本体に、左回転軸を備える左端子を装着し、
ヒンジ機構の２つ割りの片方の本体内に、前記右中本体と左中本体間にバネを装着した後に、前記もう一方のヒンジ機構の本体を被せた後に固定してヒンジ機構を製作する方法。
【発明の詳細な説明】
【技術分野】
【０００１】
本発明は、物品と物品を回動可能に接続し、且つ、電気的に導通するヒンジ機構と製作方法に関する。
【背景技術】
【０００２】
従来、導通性を有するヒンジ機構として、特開２００５−６０９６号公報がある。この公報の図１、図２には、上ケース１０に装着された導電性の金属フレーム１４と、ヒンジ金具１５とを電気的に接続し、ヒンジ金具１５と下ケース１１に装着されたヒンジ金具１９とを回転軸１８により回動可能なように連結する。そして、ヒンジ金具１５、ヒンジ金具１９及び回転軸１８を導電性の金属で形成して、それぞれの間の接触点において電気的に導通する。
【０００３】
又、この公報の図３には、上ケース１０及び導電フレーム１４に取付けられるヒンジ金具１５ａ及び１５ｂ、ヒンジ金具１５ａ及び１５ｂとそれぞれ回動可能に接続される回転軸１８ａ及び１８ｂ、回転軸１８ａ及び１８ｂと回動可能に接続されるヒンジ金具１９ａ、１９ｂを有して構成される。そして、前記ヒンジ金具１５ａ及び１５ｂ、回転軸１８ａ及び１８ｂ、ヒンジ金具１９ａ、１９を導電性の金属で形成して、ヒンジ金具１５ａ〜回転軸１８ａ〜ヒンジ金具１９ａ、ヒンジ金具１５ｂ〜回転軸１８ｂ〜ヒンジ金具１９ｂは電気的に導通する。
【０００４】
【特許文献１】特開２００５−６０９６号公報
【発明の開示】
【発明が解決しようとする課題】
【０００５】
前記構成の回動可能な上ケース１０と下ケース１１を分離するためには、回転軸１８、回転軸１８ａ、１８ｂを抜く必要がある。そして、この回転軸を抜いた後に、この回転軸を喪失することがあり、再度、組み立てるときは新たな回転軸を用意しなければならない。
そこで、本願発明は、新たなヒンジ機構を提供し、物品と物品をヒンジ機構で結合可能であると共に分離可能で、且つ、電気的に導通であるヒンジ機構及び製作方法を提供するものである。
【課題を解決するための手段】
【０００６】
請求項１のヒンジ機構は、一方物品と他方物品を回動可能に結合し、且つ、電気的に導通するのであって、前記一方物品と他方物品の辺に左基台と右基台を形成し、左基台に導電端子を備える左回動孔を穿設すると共に右基台に導電端子を備える右回動孔が穿設してある。
又、前記ヒンジ機構の本体には、前記左回動孔と左回動孔に対応する位置で装着可能な一対の左回転軸を左連結体で連結の左端子を備えると共に、前記右回動孔と右回動孔に対応する位置で装着可能な一対の右回転軸を右連結体で連結の右端子を備え、前記右端子と左端子の間に弾性体を装着してあり、前記右回転軸と左回転軸の少なくも一方が往復動可能である。
このヒンジ機構は、弾性体の弾発力により、左回転軸と右回転軸を本体内にへ込まして物品の基台に穿設の左回動孔と右回動孔に装着することによって、一方と他方の物品を回動可能にすると共に、電気的に導通する。
【０００７】
請求項２のヒンジ機構は、一方物品と他方物品を回動可能に結合し、且つ、電気的に導通する。又、このヒンジ機構には、一方物品と他方物品の辺に左基台と右基台が形成してあり、前記左基台に導電端子を備える左回動孔が穿設されていると共に、右基台に導電端子を備える右回動孔が穿設されている。
又、ヒンジ機構の本体には、一方物品に穿設の左回動孔と他方物品に穿設の左回動孔に装着可能な一対の左回転軸が左連結体で連結されて左端子を備えていると共に、一方物品に穿設の右回動孔と他方物品に穿設の右回動孔に装着可能な一対の右回転軸が右連結体で連結されて右端子を備えている。又、前記左回転軸を右回転軸の少なくも一方が往復動可能である。
このヒンジ機構は、左端子と右端子の一部が板バネで構成されているので、左回転軸と右回転軸を押圧して変形させても元の形状になり、左回転軸と右回転軸を本体内にへ込まして物品の基台に穿設の左回動孔と右回動孔に装着することによって、一方と他方の物品を回動可能にすると共に、電気的に導通する。
【０００８】
又、請求項３のヒンジ機構は、板バネの周囲に、左連結体と右連結体を押圧して本体内に取り入れたとき板バネの弾性変形を可能にする停止体を設けて、円滑な変形となるように弾性変形を規制している。
【０００９】
請求項４のヒンジ機構は、一方物品と他方物品を回動可能に結合し、且つ、電気的に導通する。又、一方物品と他方物品の辺に右基台と左基台を形成し、前記右基台に導電端子を装着の右回動孔を穿設すると共に、左基台に導電端子を装着の左回動孔が穿設してある。又、前記ヒンジ機構の本体には、前記一方物品に穿設の右回動孔と他方物品に穿設の右回動孔に装着可能な一対の右回転軸を右連結体で連結の右端子を備える主右本体と共に、前記一方物品に穿設の左回動孔と他方物品に穿設の左回動孔に装着可能な一対の左回転軸を左連結体で連結の左端子を備える主左本体が内装してある。
そして、前記主左本体と主右本体の相対する側面にテーパ面を形成し、それらのテーパ面に嵌合可能なテーパ面を備える装着体を嵌合装着して前記主左本体と主右本体を固定する。
【００１０】
又、請求項５の一方物品と他方物品を回動可能に結合し、且つ、電気的に導通するヒンジ機構の製作方法は、右中本体に右回転軸を備える右端子を装着し、左中本体に左回転軸を備える左端子を装着する。
そして、ヒンジ機構の２つ割りの片方の本体内に、前記右中本体と左中本体の間にバネを装着した後に、前記もう一方のヒンジ機構の本体を被せた後に固定してヒンジ機構を製作する方法。
【発明の効果】
【００１１】
本願発明のヒンジ機構は、一方と他方の物品を種々の形状に組み立てることができ、回動可能であると共に電気的に導通状態にすることができるし、ヒンジ機構を取り外して、一方と他方の物品を離散させることができる。
【発明を実施するための最良の形態】
【００１２】
本発明について図を参照して説明する。図１は、一方物品１Ａと他方物品１Ｂをヒンジ機構１０で結合した照明装置の平面図であり、図２は前記物品１Ａ、１Ｂとヒンジ機構１０の平面断面図である。
前記物品１Ａ、１Ｂは、適宜の厚みを有する合成樹脂で製作の三角柱の形状であり、その中に照明器具（ＬＥＤ）３が埋め込まれている。
これらの物品１Ａ、１Ｂは、本願のヒンジ機構１０により相互に結合することによって、目的の照明装置の形状に組み立てることができ、反対に、ヒンジ機構１０を取り外すことによって、結合された物品１Ａ、１Ｂを分解できる。尚、前記物品１Ａ、１Ｂの形状は、前記三角形の他に適宜選定できる。
【００１３】
前記物品１Ａ、１Ｂの辺１ａには、ヒンジ機構１０を装着する左基台１１ａと右基台１１ｂが形成してある。尚、このヒンジ機構１０を装着可能な左基台１１ａと右基台１１ｂを、いずれの辺１ａに形成するかは任意である。
前記左基台１１ａと右基台１１ｂの平面形状は任意であり、相対する側面には、後述するヒンジ機構１０の左回転軸１３ａと右回転軸１３ｂを装着可能な左回動孔１５ａと右回動孔１５ｂが穿設してあると共に、前記左回動孔１５ａと右回動孔１５ｂには導電端子１６が備えてある。
又、前記照明器具３には左端子２１ａと右端子２１ｂがあり、前記左端子２１ａから前記左回動孔１５ａの導電端子１６に、前記右端子２１ｂから右回動孔１５ｂの導電端子１６に、各々リード線１９ａ、１９ｂで結線されている。
尚、図２の左端子２１ａと右端子２１ｂには、直流電源のため、＋−と示してあり、交流電源用の場合には＋−は意味がない。
【００１４】
次に、平面断面図を示す図１のヒンジ機構１０について説明すると、ヒンジ機構１０は合成樹脂で前記物品本体とほぼ同じ厚みで、四角形状の本体１０ａに製作されている。
そして、一方物品１Ａの左回動孔１５ａと他方物品１Ｂの左回動孔１５ａに装着可能な位置で、一方左回転軸１３ａと他方左回転軸１３ａ及び左連結体１８ａで、コ字状に形成の左端子２０ａ（左回転軸１３ａ）が、本体内で往復動可能（本体からの出入可能）に配置してある。
【００１５】
又、前記左端子２０ａに対して、前記一方物品１Ａの右回動孔１５ｂと他方物品１Ｂの右回動孔１５ｂに対応する位置となるように、一方右回転軸１３ｂと他方右回転軸１３ｂ及び右連結体１８ｂで、コ字状に形成の右端子２０ｂ（右回転軸１３ｂ）が、前記左端子２０ａとは逆方向に向けて往復動可能（本体からの出入可能）に本体１０ａ内に配置してある。
尚、左回転軸１３ａと右回転軸１３ｂの内側にはガイド体３５が設けてあり、その外側には往復動の軌道を規制する規制体３３が設けてある。
【００１６】
また、前記左端子２０ａと右端子２０ｂの間には、反発力を有する弾性体２５が絶縁物３６を介して装着してあり、左回転軸１３ａと右回転軸１３ｂはヒンジ機構の本体１０ａから突出状態で、互いに反対方向に付勢している。
この付勢力によって、前記左回転軸１３ａは左回動孔１５ａの導電端子１６に、前記右回転軸１３ｂは右回動孔１５ｂの導電端子１６に接触すると共に、ヒンジ機構１０が一方物品１Ａと他方物品１Ｂから離脱しないようになっている。
【００１７】
又、一方物品１Ａの左回動孔１５ａの導電端子１６に一方左回転軸１３ａが接触して左端子２０ａを介して、及び、他方左回転軸１３ａが他方物品１Ｂの左回動孔１５ａの導電端子１６に接触することによって、一方物品１Ａの左回動孔１５ａの導電端子１６と他方物品１Ｂの左回動孔１５ａの導電端子１６とは電気的に導通する。
又、右側も同様に、一方物品１Ａの右回動孔１５ｂの導電端子１６と他方物品１Ｂの右回動孔１５ｂの導電端子１６とは電気的に導通する。
【００１８】
次に、前記ヒンジ機構１０を一方物品１Ａと他方物品１Ｂを結合する操作について説明する。
先ず、一方左回転軸１３ａと他方左回転軸１３ａを押圧すると、弾性体２５は圧縮され、一方左回転軸１３ａと他方左回転軸１３ａはヒンジ本体１０ａ内に入る。そして、この状態で、一方物品１Ａと他方物品１Ｂのそれぞれに穿設の左回動孔１５ａに装着する。
次に、一方右回転軸１３ｂと他方右回転軸１３ｂを押圧すると、弾性体２５は圧縮され、一方右回転軸１３ｂと他方右回転軸１３ｂはヒンジ本体１ａ内に入り、この状態で、一方物品１Ａと他方物品１Ｂのそれぞれに穿設の右回動孔１５ｂに装着する。
【００１９】
すると、弾性体２５の弾発力により、一方物品１Ａの左回動孔１５ａの導電端子１６に一方左回転軸１３ａが接触し、他方左回転軸１３ａが他方物品１Ｂの左回動孔１５ａの導電端子１６に接触して、一方物品１Ａと他方物品１Ｂの左側と右側はそれぞれ電気的に導通する。
又、一方物品１Ａと他方物品１Ｂは、一方左回転軸１３ａと一方右回転軸１３ｂ、他方左回転軸１３ａと他方右回転軸１３ｂを軸心としてそれぞれ回動可能となり、多数組合せの物品１Ａ、１Ｂだけを回動することによって、種々の形状の照明装置を作成することができる。
【００２０】
以上のように、物品の辺１ａに、ヒンジ機構１０を装着する左基台１１ａと右基台１１ｂを設け、これらの基台に、左回動孔１５ａに導電端子１６と右回動孔１５ｂに導電端子１６を備え、照明器具（ＬＥＤ）の端子とをリード線で結線することによって、ヒンジ機構１０を介して、一方物品１Ａと他方物品１Ｂを相互に結合でき、ヒンジ機構１０を介して一方物品１Ａと他方物品１Ｂは回動可能であると共に、電気的に導通する。
尚、前記何れかの物品の左回動孔１５ａの導電端子１６と右回動孔１５ｂの導電端子１６に、電源端子を挿入することによって、照明器具（ＬＥＤ）を点灯することができる。
【００２１】
次に、図３（Ａ）（Ｂ）は、前記弾性体２５に替えて、板バネ３０を使用するヒンジ機構である。
又、図３（Ａ）は、一方左回転軸１３ａと他方右回転軸１３ｂを円弧状の板バネ３０で連結して構成するものであるが、各板バネ３０の周囲には規制体３３が設けてあり、一方左回転軸１３ａと他方右回転軸１３ｂの円滑な本体内外の出入を可能とする。
一方左回転軸１３ａと他方右回転軸１３ｂは、板バネ３０によって、常時、ヒンジ機構本体１０ａより外側に突出状態となるように付勢されていて、一方左回転軸１３ａと他方右回転軸１３ｂを内部側に押圧すると、板バネ３０は規制体３３で規制されて反り返る。この規制体３３は、一方左回転軸１３ａと他方右回転軸１３ｂの円滑な往復動を可能とする。
尚、左回転軸１３ａと右回転軸１３ｂの内側には、往復動を可能とするガイド体３５が設けてある。
そして、この状態でヒンジ機構を装着すると、一方物品１Ａと他方物品１Ｂのそれぞれに穿設の左回動孔１５ａ、右回動孔１５ｂに装着して、物品の回動を可能にすると共に、電気的に導通する。
【００２２】
又、図３（Ｂ）は、板バネ３０がＭ字状であり、一方左回転軸１３ａと他方右回転軸１３ｂを内部に押圧すると、板バネ３０は規制体３３で規制されて反り返り、この状態で、ヒンジ機構を装着すると、物品の回動を可能にすると共に、電気的に導通する。
以上のように、板バネを使用のヒンジ機構であっても、一方物品１Ａと他方物品１Ｂを結合でき、且つ、一方左回転軸１３ａと他方右回転軸１３ｂ、他方左回転軸１３ａと他方右回転軸１３ｂを軸として回動可能であり、且つ、電気的に導通する。
【００２３】
図４（Ａ）は、他のヒンジ機構１０であり、ヒンジ機構本体１０ａ内には、図４（Ｂ）に示す部品が装着されて製作される。
Ｌ字状の右中本体４０ｂは樹脂製であり、側面に後述のバネ２５を挿入の孔４１ｂ、４１ｂが穿設してあり、他方の側面には、一方右回転軸１３ｂと他方右回転軸１３ｂが僅かに突出した状態のコ字状の右端子２０ｂが樹脂成形で一体に構成してある。
又、Ｌ字状の左中本体４０ａも同様に、側面に後述のバネ２５を挿入のバネ孔４１ａ、４１ｂ（図示しない）が穿設してあり、他方の側面には、一方左回転軸１３ａと他方左回転軸１３ａが突出した状態のコ字状の左端子２０ａが樹脂成形で一体に構成してある。
尚、Ｌ字状の左中本体４０ａに、着脱自在の開口体４４によって、開口窓を備える形状で樹脂成形で構成した後に、開口体４４を取り外して形成される開口窓４４から左端子２０ａを装着すると、開口孔４５ａ、４５ａから一方左回転軸１３ａと他方左回転軸１３ａが突出し、その後、前記開口体４４を装着する。
【００２４】
そして、次に、前記左中本体４０ａと右中本体４０ｂを、２つ割りの一方のヒンジ機構本体１０ａに装着すると共に、前記バネ孔４１ａ、４１ｂにバネ２５を嵌挿して装着し、その上に、２つ割りの他方のヒンジ機構本体１０ａを被せた後に接着剤等で固定する。
尚、主左本体４０ａ又は主右本体４０ｂの頂部を互いに接近するように挟むと、バネ２５が縮んで、一方左回転軸１３ａと他方左回転軸１３ａ及び一方右回転軸１３ｂと他方右回転軸１３ｂは、ヒンジ機構本体１０ａから没するので、一方と他方物品１Ａ、１Ｂに形成の基台１１の左回動孔１５ａと右回動孔１５ｂに装着する。
【００２５】
そして、装着されたヒンジ機構本体１０ａによって、弾性体２５の弾発力により、一方物品１Ａの左回動孔１５ａの導電端子１６に一方左回転軸１３ａが接触し、他方左回転軸１３ａが他方物品１Ｂの左回動孔１５ａの導電端子１６に接触して、一方物品１Ａと他方物品１Ｂの左側と右側はそれぞれ電気的に導通する。  又、一方物品１Ａと他方物品１Ｂは、一方左回転軸１３ａと一方右回転軸１３ｂ、他方左回転軸１３ａと他方右回転軸１３ｂを軸心として回動可能となり、多数組合せの物品１Ａ、１Ｂだけを回動することによって、種々の形状の照明装置を作成することができる。
【００２６】
又、図５は他のヒンジ機構であり、主左本体５０ａには、一方左回転軸１３ａと他方左回転軸１３ａが突出した状態のコ字状の左端子２０ａ（図示略）が樹脂成形で一体に構成してある。一方、主右本体５０ｂには、一方右回転軸１３ｂと他方右回転軸１３ｂが突出した状態のコ字状の右端子２０ｂ（図示略）が樹脂成形で一体に構成してある。
尚、前記主左本体５０ａと主右本体５０ｂは、バネ２５がない点が、前記図４に示すものと異なる。
【００２７】
又、前記主左本体５０ａと主右本体５０ｂの相対する側面は、テーパ面５２ａ、５２ｂが形成されている。一方、これらのテーパ面５２ａ、５２ｂに装着可能な装着体５６の両面側には、前記テーパ面５２ａ、５２ｂに嵌合可能なテーパ面５７ａ、５７ｂが形成されている。そして、前記主左本体５０ａと主右本体５０ｂを本体１０ａ内に装着後、装着体５６を嵌合装着すると、主左本体５０ａと主右本体５０ｂは固定状態になる。
【００２８】
そこで、このヒンジ機構を一方物品１Ａと他方物品１Ｂに装着するときには、前記装着体５６を取り外して、主左本体５０ａの一方左回転軸１３ａと他方左回転軸１３ａを基台に形成の左回動孔１５ａ、１５ａに挿入する。同様に、主右本体５０ｂの一方右回転軸１３ｂと他方右回転軸１３ｂを基台に形成の右回動孔１５ｂ、１５ｂに挿入する。そして、主左本体５０ａと主右本体５０ｂの間に、装着体５６を嵌合装着して、主左本体５０ａと主右本体５０ｂを固定する。
【００２９】
装着体５６を嵌合装着して主左本体５０ａと主右本体５０ｂが固定されたヒンジ機構本体１０ａは、一方物品１Ａの左回動孔１５ａの導電端子１６に一方左回転軸１３ａが接触し、他方左回転軸１３ａが他方物品１Ｂの左回動孔１５ａの導電端子１６に接触して、一方物品１Ａと他方物品１Ｂの左側と右側はそれぞれ電気的に導通する。
又、一方物品１Ａと他方物品１Ｂは、一方左回転軸１３ａと一方右回転軸１３ｂ、他方左回転軸１３ａと他方右回転軸１３ｂを軸心として回動可能となり、多数組合せの物品１Ａ、１Ｂだけを回動することによって、種々の形状の照明装置を作成することができる。
【００３０】
尚、前記本願の図２、図３、図４に示すヒンジ機構は、基台１１ａ、１１ｂに形成の左回動孔１５ａと右回転孔１５ｂに、左回転軸１３ａと右回転軸１３ｂが各々装着できればよいので、左回転軸１３ａと右回転軸１３ｂの何れか一方が往復動（本体と出没）可能であればよい。
又、物品の形状は、同じ形状の物品である必要はなく、３角形の他、種々の形状が考えられる。又、ヒンジ機構を取り付ける左基台と右基台は、結合する方向の、物品の何れかの辺に形成すればよく、物品の結合によって、例えば、種々の形状の照明装置を容易に作成することができる。
【図面の簡単な説明】
【００３１】
【図１】一方物品と他方物品をヒンジ機構で結合した照明装置の平面図である。
【図２】図１の一部の平面断面図である。
【図３】他のヒンジ機構の平面断面図である。
【図４】（Ａ）は他のヒンジ機構の斜視図、（Ｂ）は構成部品図である。
【図５】（Ａ）は他のヒンジ機構の斜視図、（Ｂ）は構成部品図である。
【符号の説明】
【００３２】
１Ａ、１Ｂ  物品
１０  ヒンジ機構
１１ａ  左基台
１１ｂ  右基台
１３ａ  左回転軸
１３ｂ  右回転軸
１５ａ  左回動孔
１５ｂ  右回動孔
１６  導電端子
１８ａ  左連結体
１８ｂ  右連結体
２０ａ  左端子
２０ｂ  右端子
４０ａ  左中本体
４０ｂ  右中本体
５０ａ  主左本体
５０ｂ  主右本体
５２ａ、５２ｂ  テーパ面
５６  装着体
５７ａ、５７ｂ  テーパ面
【図１】
2010112485.tif 000003
【図２】
2010112485.tif 000004
【図３】
2010112485.tif 000005
【図４】
2010112485.tif 000006
【図５】
2010112485.tif 000007